(57)【要約】【課題】ペレット状次亜塩素酸カルシウムを用いる場合に、炭酸カルシウムの堆積物を生成することに対処して、薬品供給装置の取付け部に装着された薬品貯蔵容器を提供する。【解決手段】薬品貯蔵容器（７４）は、主要部分が次亜塩素酸カルシウムから成る前記薬品と、前記薬品を収容し、また、開放下端と、閉鎖上端と、前記下端に隣接する雄ねじが切られた部位とを有し、相補形の雌ねじが切られた取付け部に螺合された成形プラスチック本体と、前記容器の開口を横断して延在し、少なくとも部分的に前記薬品を支承し、さらに、水体中央部の局部隆起に浸される中央部を有する多孔カバー（７０）とを含む。【選択図】図５
2010195490.tif 000002
【特許請求の範囲】
【請求項１】
薬品供給装置の取付け部に装着された状態の薬品貯蔵容器（７４）において、
主要部分が次亜塩素酸カルシウムから成る前記薬品と、
前記薬品を収容し、また、開放下端と、閉鎖上端と、前記下端に隣接する雄ねじが切られた部位とを有し、相補形の雌ねじが切られた取付け部に螺合された成形プラスチック本体と、
前記容器の開口を横断して延在し、少なくとも部分的に前記薬品を支承し、さらに、水体中央部の局部隆起に浸される中央部を有する多孔カバー（７０）とを含む薬品供給装置の取付け部に装着された状態の薬品貯蔵容器。
【請求項２】
前記本体と多孔カバーが、事実上ポリエチレンから成る請求項３３に記載された薬品供給装置の取付け部に装着された状態の薬品貯蔵容器。
【発明の詳細な説明】
【技術分野】
【０００１】
本発明は、水処理に係わり、より具体的にはスイミング・プールなどからの再循環水に処理薬品を加えるための供給装置に関するものである。
【背景技術】
【０００２】
スイミング・プールの水は、処理を施さないと、細菌、藻類、および他の好ましくなく、また、体に害を及ぼす恐れがある微生物が繁殖する快適な場所となる。従って、そのような微生物を殺菌／制御するために、処理薬品を用いてプール水を定期的に、かつ、継続して処理することが一般的になっている。
【０００３】
そのような処理は、典型的には、好ましくない微生物を殺菌する、または、制御するために効果的な量の塩素をプール水に加えることによって行われる。塩素供給源は、液状または固形であり、固形の場合にはプール水に溶解される。固形の塩素供給源としては、次亜塩素酸カルシウム（カル・ハイポ）、ジクロロイソシアヌール酸（ダイ・クロル）、およびトリクロロイソシアヌール酸（トリ・クロル）がある。
【０００４】
種々の供給装置が、固形薬品の錠剤などから塩素を供給するために用いられる。薬品を継続して供給するためには、「フローター」または「フィーダー」としても知られている浮遊侵食型供給装置を用いることが知られている。フローターには、固形薬品が格納されており、薬品が制御してプール水に浸されるために、塩素をプール水に加えるために固形薬品が水に侵食される速さが制御される。例示としてのフローターは、特許文献１および特許文献２と特許文献３に開示されている。また、プール水の濾過機能も備えた循環装置に組み込まれた外付けフィーダーに、プール水をポンプによって送水することも知られている。そのような装置には、間欠噴霧装置、侵食型装置、および周期的部分浸漬装置がある。そのような装置の例は、特許文献４、特許文献５、特許文献６、特許文献７、特許文献８、特許文献９、特許文献１０、および特許文献１１、さらに特許文献１２に示されている。別の背景技術としては、固形次亜塩素酸カルシウムの種々の配合が、特許文献１３と特許文献１４に開示されている。
【先行技術文献】
【特許文献】
【０００５】
【特許文献１】米国特許第５４９１７８６８号明細書
【特許文献２】米国意匠特許第２９７８５７号明細書
【特許文献３】米国意匠特許第３０９４９３号明細書
【特許文献４】米国特許第５９３２０９３号明細書
【特許文献５】米国特許第５９２８６０８号明細書
【特許文献６】米国特許第５４４１７１１号明細書
【特許文献７】米国特許第５４２７７４８号明細書
【特許文献８】米国特許第５４２９３５５号明細書
【特許文献９】米国特許第５３８４１０２号明細書
【特許文献１０】米国特許第５１３３３８１号明細書
【特許文献１１】米国特許第４２０８３７６号明細書
【特許文献１２】米国再発行特許第３３８６１号明細書
【特許文献１３】米国特許第５１１２５２１号明細書
【特許文献１４】米国特許第５００４５４９号明細書
【特許文献１５】米国特許第６０４５７０７６号明細書
【発明の概要】
【発明が解決しようとする課題】
【０００６】
処理薬品を適切に溶解させて、好ましくない堆積または残渣を回避することが、フィーダーを設計する上での課題であった。市販のペレット状次亜塩素酸カルシウムを用いる場合には、炭酸カルシウムの堆積物を生成するために、特別な問題が存在する。例えば、特許文献１４が参照される。
【課題を解決するための手段】
【０００７】
本発明の一観点は、水流に薬品を加えるための供給装置に関し、供給装置は、フィーダー流入口ならびにフィーダー流出口と、多孔下部を有して、固形の薬品を収容する貯蔵容器と、流出口を有して、少なくとも第一フィーダー状態のときにフィーダー流入口に連通し、また、前記導管流出口を浸す水体を保持している第一導管と、少なくとも前記第一フィーダー状態のときに水体からの溶解薬品を含有する溢水を受け入れるとともに、フィーダー流出口に連通する流出水室とを含む。
【０００８】
本発明の別の観点は、水流に薬品を加えるための供給装置に関し、供給装置は、フィーダー流入口ならびにフィーダー流出口と、多孔下部を有するとともに、固形の薬品を収容する貯蔵容器と、流出口を有して、少なくとも第一フィーダー状態のときにフィーダー流入口に連通する第一導管と、少なくとも前記第一フィーダー状態のときに、前記導管流出口を浸す水体を維持する手段と、水体が、貯蔵容器内の薬品と接触して薬品を溶解する前記第一フィーダー状態のときの第一高さ、または、水体が、貯蔵容器内の薬品と接触しない第二フィーダー状態のときの第二高さになるように、前記水体の表面を局部的に隆起させるための導管の水流を切り換える手段と、少なくとも前記第一フィーダー状態のときに溶解した薬品を含有する水流を水体からフィーダー流出口に向けて送るための手段とを含む。
【０００９】
本発明のさらに別の観点は、スイミング・プールから取水して戻される水流に塩素含有のプール処理薬品から塩素を加えるための装置に関し、装置は、水流からの水を受け入れるフィーダー流入口と、多孔下部を有して、固形の薬品を収容する貯蔵容器と、流出口を有して、少なくとも第一フィーダー状態のときにフィーダー流入口に連通する第一導管と、導管流出口を取り囲んで上向きに延出し、少なくとも前記第一フィーダー状態のときに前記導管流出口を浸す水体を保持する壁と、少なくとも前記第一フィーダー状態のときに、前記溶解した薬品を受け入れる流出水室と、前記溶解した薬品を水流に戻すフィーダー流出口とを含み、さらに、第一導管が、前記第一フィーダー状態のときに、前記水体の第一水面部を前記水体の別の水面部より３．２〜２５．４ｍｍ（０．１２５〜１．０ｉｎ．）の範囲の高さだけ局部的に隆起させることができる流量と流速で前記導管流出口から放水することにより、前記第一水面部が、前記薬品と接触して前記薬品を溶解する。
【００１０】
本発明のさらに別の観点は、水体に調整された量の処理薬品を加えるための方法に関し、流入口と流出口とを有し、また、薬品貯蔵容器に固形薬品が収容されているフィーダーを配置する行為と、フィーダーを安定した少なくとも第一状態で運転するために、水体から流入口を介してフィーダーに流入し、さらに、流出口から放出されて水体に戻る水流を発生させる行為と、を含む方法において、水流の少なくとも第一部分が、第一水体の表面の一部に少なくとも一つの局部隆起を生じさせるために導管流出口を介して第一水体に向けて送られ、局部隆起が、前記処理薬品を溶解するために、前記固形処理薬品の貯蔵容器の多孔下部と接触し、また、前記溶解した処理薬品が前記流出口に向けて送られ、さらに、第一水体と貯蔵容器との接触を解除するために少なくとも第一水流部が制限されて、フィーダーが安定した少なくとも第二状態になる。
【００１１】
本発明のさらに別の観点は、薬品供給装置の取付け部に装着された状態の薬品貯蔵容器に関し、薬品貯蔵容器は、主要部分が次亜塩素酸カルシウムから成る前記薬品と、薬品を収容し、また、開放下端と、閉鎖上端と、該下端に隣接する雄ねじが切られた部位とを有し、相補形の雌ねじが切られた取付け部に螺合された成形プラスチック本体と、容器の開口を横断して延在し、少なくとも部分的に薬品を支承し、さらに、水体中央部の局部隆起に浸される中央部を有する多孔カバーとを含む。
【００１２】
本発明の一つ、または、複数の形態の詳細が、添付図面と明細書の以下の部分に示されている。本発明のその他の特徴、目的、および利点は、明細書、図面、および特許請求の範囲から明白であろう。種々の図面に用いられている類似の参照番号と符号は、類似の構成部品を示す。
【図面の簡単な説明】
【００１３】
【図１】例示としてのプール循環装置の概念図。
【図２】フィーダーの塩素添加部を半模式的に示す部分断面図。
【図３】フィーダーの正面図。
【図４】図３のフィーダーの側面図。
【図５】図４のフィーダーの垂直断面図。
【図６】図３のフィーダーのマニホルドを示す。
【図７】図３のフィーダーのマニホルドを示す。
【図８】図３のフィーダー基部の下側を示す。
【図９】図３のフィーダーの弁構成部品を示す。
【図１０】図９の弁構成部品の展開図。
【図１１】図３のフィーダー基部の排出水室を示す。
【図１２】図３のフィーダーの下側を示す。
【図１３】図３のフィーダーの流出水室を示す。
【図１４】図３のフィーダーの部分展開図。
【図１５】図３のフィーダー基部のカバーの下側を示す。
【図１６】図３のフィーダー用の処理薬品貯蔵容器の展開図。
【図１７】図３のフィーダーの展開図。
【図１８】別の弁構成部品の下部フランジを示す。
【図１９】図１８の下部フランジを含む別の弁構成部品を示す。
【図２０】図１８の下部フランジを含む別の弁構成部品を示す。
【図２１】図１９と図２０の弁構成部品に用いられる導管組立体の部分展開図。
【図２２】別の例示としてのプール循環装置のダイアグラム。
【図２３】別のフィーダーの基部の下側を示す。
【図２４】図２２の循環装置に好適な第一マニホルドと第二マニホルドを示す。
【図２５】図２２の循環装置に好適な第一マニホルドと第二マニホルドを示す。
【図２６】図２４と図２５のマニホルドを示す。
【図２７】図２４と図２５のマニホルドを示す。
【実施例１】
【００１４】
図１は、プールの水体２２を収容し、かつ、循環装置２４が接続されたプール２０を示す。例示したプールは地上設置型であるが、この型に制限していると見なすべきではない。循環装置は、プールから水を取水するプール流出管２６とプールに水を戻すプール戻り管２８を含む。水は、低圧（吸入）側をプール流出管に向け、高圧側をプール戻り管に向けて配置されたポンプ３０によって導管内を送られる。ポンプの下流には、ポンプから吐出された水のごみなどを濾過する濾過装置３２と、水流に塩素を加えるフィーダーつまり塩素添加装置３４が配置される。フィーダーは、各々符号３６と３８が付された流入口と流出口を有する。代替としては、フィーダー３４に替えてマニホルドを直列に用いてもよい。この場合、フィーダーつまり塩素添加装置３４は、分岐した形態でマニホルドに接続される。
【００１５】
図２は、発明力を要するフィーダーのある観点の例を模式的に示す。フィーダー内には、多孔下部４４を有する貯蔵容器４２に収容された固形の水処理薬品４０が格納されている。貯蔵容器は、水体４８を収容している壁構造体４６またはその一部分より上方に配置されている。水は、流出口またはノズル５２を有する導管５０を通って水体４８に加わる。流出口またはノズル５２は、水体４８に浸されている。流出口５２は、貫流する水５４が十分な流速になって水体の表面にかなりの大きさの局部隆起つまり中央定在波５６を発生することができるように、その寸法が決められている。隆起つまり定在波５６は、多孔部４４から浸入して、薬品４０と接触することができるほどの十分な高さを有する。薬品は、この接触によって溶解して、水体４８に加えられる。
【００１６】
水体表面の周縁部５８は、隆起５６よりかなり下、つまり多孔部４４より下の位置になるようにする方が有利である。水体の表面張力のために、部位５８の高さは、壁構造体４６の縁またはそこに設けられた不連続の排水口より僅かに高くなる。水体からの溢水６０は、上記の縁を乗り越えてまたは上記の排水口を通って、例えば、壁構造体６４によって収容されて、導管５０を取り囲んでいる第二水体６２に合流する。溶解した薬品が加えられた排水流６８は、排水口６６を通って、フィーダー流出口に向けて送られるが、排水口６６それ自体が、フィーダー流出口を形成するようにしてもよい。水体をほぼ完全に排水するために、排水口を第二水体６２の最下部に隣接して設ける方が有利である。
【００１７】
フィーダーが（導管５０の水流を遮断するなどして）停止されると、壁構造体４６は、蒸発しがちではあるが、水体４８を保持して流出口５２を覆われた状態に維持する。しかし、主流５４がない状態では隆起５６も存在しないために、薬品４０は、水体４８から完全に隔離されている。別の排水口（例えば、非常に小さい開口）を壁構造体４６に設けて、オフの状態のときに水体４８を排水することもできるが、そのような排水口はない方が有利である。オフの期間中に水体４８を保持しておく方が、運転再開時の問題を最小限に止めることができて有利である。具体的には、水体４８がない場合に別の手段を採らないで運転再開すると、水流５４が噴流となって多孔部４４と薬品４０に直接注がれて薬品が掻き回されるために、非常に大きい初期溶解が発生する。オフの状態のときに、流出口５２を水体４８の表面より深い位置に維持しておくと、それが上記の噴流を弱める効果を有し、フィーダーの水流が再開された場合に、隆起部が、静かに波形つまり隆起形に形成されることになり有利である。
【００１８】
図３〜図５は、フィーダー３４の実施例の詳細を示す。図３と図４は、フィーダーの上部塩素添加部３５と下部本体つまり基部８６、およびフィーダー内の水流を停止／排水位置から最大流量まで調節する制御ノブ３９を含む流量制御部開口３７を示す。フィーダー流入口３６とフィーダー流出口３８も、また、図示されている。図５に例示したフィーダーは、中央垂直軸５００を有し、オンの状態が示されている。フィーダーの上部塩素添加部では、溶解用の水体５０４の中央隆起５０２が、薬品７６を収容している貯蔵容器７４の本体７２の開口周囲に固定された多孔カバー７０から内部に浸入している。例示したブリケット状の薬品は、重量比で６５％が次亜塩素酸カルシウムであり、一個が約７ｇの重量を有し、寸法は、長さ３２ｍｍ、幅１９ｍｍ、厚さ１３ｍｍであり、テネシー州チャールストンのアーチ・ケミカルズ社（Ａｒｃｈ  Ｃｈｅｍｉｃａｌｓ，Ｉｎｃ．）が市販している。
【００１９】
水体５０４には、流出水５０６を放出するフラット・ファン・ノズル（平面扇状放出ノズル）７８が浸されている。大きさを例示すると、ノズルは、フィーダーが次のような特定の圧力の下で実際に運転されるか否かにかかわらず、３４．５ｋＰａ（５ｐｓｉ）のときに、０．８〜８リットル／ｍｉｎ（０．２〜２ｇａｌ／ｍｉｎ）の範囲の送水を可能にする大きさを有している。例示したノズルは、イリノイ州セントチャールズのレクラー社（Ｌｅｃｈｌｅｒ，Ｉｎｃ．）が販売している５０°フラット・ファン、モデル６３２．８８４．５Ｅ．ＢＣ、である。ノズル７８は、水体５０４を収容している壁構造体８２と同様に、導管８０の上端に固定されている。代替として、ノズルを、導管８０と同一の材料を用いて導管８０の上端内部に形成してもよい。水体５０４からの溢水５０８は、フィーダーの下部本体つまり基部８６の流出水室８４の中に落下する。
【００２０】
例示した基部は、例えば、ポリマー（例えばポリカーボネート）を一体成形して形成された主要部材を含む。流出水室の底部には、第二水体つまり流出水体５１０が導管８０を取り囲むように収容されている。
【００２１】
フィーダーの流入口３６と流出口３８は、各々マニホルド９４の第一端部９０と第二端部９２の位置に合わされている。これらの例示した端部は、循環装置の導管と嵌合するために管状である。以下でより詳細に説明するように、マニホルドは、流入水を受け入れ、受け入れた流入水の少なくとも一部をフィーダーの塩素添加部に向けて送水し、塩素が加えられた水を塩素添加部から受け入れ、さらに受け入れた塩素添加水をプールに向けて送水する役をする。導管に入る上向きの水流と流出水室からの下向きの水流を制御する弁構造体９５が、一方をマニホルドに、そして他方を導管８０と流出水室８４に挟まれて配置されている。
【００２２】
マニホルド（図６と図７）は、中央に垂直に延在する管状壁９８を有して形成されており、それは、軸５００の周囲の中央開口９６と境を接している。以下に説明するように、弁駆動軸を開口９６に挿入することができる。マニホルドの外側壁１００が内側壁９８から間隔を空けて配置されているために、壁９８，１００の間の隙間を介して流入口と流出口とが連通する。マニホルドは、中央軸と壁９８から各々流入口側と流出口側にかけて、一対の上向き開放領域１０２，１０４を有する。これらの開放領域によって、フィーダーを流れる水の一部の進路を、塩素添加部に行って戻るように変えることが可能になる。例示した実施例では、フィーダーへの流入水５２０とフィーダーからの流出水５２２は、等量であって、概ね７６〜１５１リットル／ｍｉｎ（２０〜４０ｇｐｍ）である。塩素添加部に行って戻る分水流は、概ね１〜２リットル／ｍｉｎ（０．２〜０．６ｇｐｍ）であり、差分は、塩素添加部を迂回するために壁９８，１００の間を通過する迂回流５２８の流量である。
【００２３】
例示したマニホルドは、ポリカーボネートのようなポリマーを成形して形成される。例示したマニホルドは、管状の流入部および流出部から各々上向きに延在して、基部８６の下面と係合して超音波溶接などによって固定するための上面を含む一対の装着用ブラケット１０６を備えて成形されている。基部下面の係合部（図８）は、流出水室の底壁を画成している基部の一部に設けられた二組の装着用リブ１０７を含む。これらの間には、概ね円筒形の弁構成部品区画１０８が設けられている。区画の底部には、図６のマニホルド開口９６と同様の寸法の開口１１２を有する概ね水平な中央ウェブ（腹板部分）１１０が設けられている。組み立てる場合には、開口９６，１１２の位置を合わせて、壁９８の縁がウェブ１１０に密封固定される。壁１００と開放領域１０２，１０４を取り囲む延長部分も、同様に、ウェブに密封固定される。一対の流入スクープ１１６と流出スクープ１１８（図５と図８）がウェブから垂下しており、それは、組み立てられたときに、マニホルドの開放領域に入り込む。スクープ１１６，１１８は、マニホルドの流入口９０からウェブを貫流して上向きに、そしてウェブを下向きに貫流してマニホルドの流出口９２へと、水流５２４，５２６（図５）を各々案内する。
【００２４】
例示した実施例では、水流５２４，５２６は、各々弁構造体９５を貫流して塩素添加部に行って戻るように流れる。弁構造体は、上部フランジ１３２と下部フランジ１３４によって形成された中空で、ほぼ円筒形の部位を有する弁構成部品１３０（図９と図１０）を含み、フランジは、互いに接合されて側壁１３６を形成する。例示した実施例では、上部フランジ１３２は、低密度ポリエチレン（ＬＤＰＥ）のようなポリマーで一体成形されており、下部フランジ１３４も同様に（例えばＬＤＰＥで）成形され、熱板溶接によって互いに密封固定される。弁構成部品は、下部フランジに第一ポート１３８と第二ポート１４０（図１０）を、そして、上部フランジに第一ポート１４２と第二ポート１４４を備えて形成される。上部フランジの第一ポート１４２は、中央に位置して、導管８０に通じる下部流入口１５０（図５）と位置が合わされている。下部フランジの第一ポート１３８は、軸５００とは間隔を空けられており、弁がオンの向きのときに流入スクープ１１６と位置が合って流入水を受け入れる。下部フランジの第一ポートと上部フランジの第一ポートは、弁構成部品の内部を介して、他とは独立して互いに通じている。下部フランジの第二ポートと上部フランジの第二ポートは、軸５００とは間隔を空けられており、下部フランジの第一ポートとは正反対の位置にある。両方の第二ポートは、上部フランジから垂下しているスリーブ部１５２を介して、他とは独立して互いに通じている。運転状態のときのオンの向きにすると、両方の第二ポートは、少なくとも部分的に流出スクープ１１８と位置が合い、水流５２６が、上記のポートとスクープを通って流れる。同様に、下部フランジの第一ポートも流入スクープ１１６と位置が合って、水流５２４を貫流させる。従って、下部フランジの第一ポートと第二ポートは、弁構成部品の各々流入ポートおよび流出ポートとしての役を果たし、スクープ１１６，１１８は、上方の塩素添加部の流入ポートおよび流出ポートとしての役を果たす。ガスケット１５４（図１１）が、下部フランジと基部のウェブ上面との間を密封する。ガスケットは、同心の内側部と外側部、および、その間にあってスクープと位置が合わされている中間部を含み、また、ウェブは排水口つまりポート１５８を有しており、（以下でさらに詳細に説明するように）スリーブ１６０がそこから垂下している。
【００２５】
駆動軸１７０（図９と図１０）が、弁構成部品から垂下して、弁構成部品の回転を制御するために弁構成部品に固定されている。例示した軸１７０（図１０）は、弁構成部品の下部フランジ１３４と係合するための上部装着フランジ１７２を有する。相対回転を防止するために、複数の杭状突起１７３が装着フランジから上向きに突出しており、それらは弁構成部品の下部フランジ１３４の相補形受口１７５に受承される。軸は、レバーつまり制御アーム１８０（図１２）の隣接端部の相補形状部と係合するための切子面部または他の形状を下端に有している。軸は、マニホルドの中央開口を貫通する。使用者がレバー１８０末端のノブを動かすと、弁構成部品が、軸５００を中心にして複数の向きに回動する。先に説明したように、一連のオンの向きのとき、ポート１３８，１４０の位置は、スクープ１１６，１１８の各々の位置に合わせられる。この位置合わせの程度によって流量を調節することが可能であり、ポート１３８，１４０をスクープ１１６，１１８と部分的に重ね合わされた場合には、流量が幾分制限される。例示した実施例では、流出ポート１４０は、全体がカーブした長円形となるよう半径方向が相対的に長くなっている。流入ポート１３８は一連の小孔であって、制限状態のときに好ましくない水の滞留を回避するため、流入水の方が、流出水より強く制限されるように構成されている。この一連の孔は、感度が低くなるように穿設されており、使用者は、塩素添加部を流れる流量を、そして、それにより添加率を、容易に調節することができる。別の向き、つまりオフ／排水の向きのときには、ポート１４０は、排水スリーブ１６０に合わされ、ポート１３８は、ウェブによって完全に閉鎖される。この状態では、スクープ１１６，１１８を通る水流が実質上存在しない。代わって、ドレン流が、弁構成部品とスリーブ１６０を貫流して、ドレン・パン１９０（図５）の中へと流れる。
【００２６】
弁構成部品の上に例示した導管８０（図１３）は、大部分が（例えばポリカーボネート製の）一体成形構造体２０２の管状部つまり筒２００によって形成されている。例示した導管の流出口には、筒２００の上端に切られた雌ねじに螺合したノズル７８が設けられている。筒の下端からは、フランジ２０４が半径方向外向きに延出し、（後で説明する）構造補強リブ２０６と開口２０８が設けられている。フランジの段面は、垂直方向上向きに延出し、雄ねじが切られた外壁部２１２（図１４）を有している。部位２１２の上端で、フランジは、さらに外向きに延出して、縁２１４を形成している。フランジの縁に沿う少なくとも一点には、互いに交差する半径方向部と円周方向部を有する溝２１８によって画成されたつめ部２１６が設けられている。構造体２０２は、弁構成部品の上に隣接する弁区画１０８の上部に収容されている。ねじ部２１２は、弁区画の壁の段面に隣接して形成された相補形のねじ部２２０（図１１）によって受承される。代替として、フランジ２０４を、ねじ構造ではなくプラスチック（ＰＶＣ）製ボルトを用いて基部８６に固定してもよい。組み立てるために所定の位置に螺合されると、つめ２１６の突起２２４が、流出水室の底壁上面の複数の回り止め用ぎざぎざ２２６の一つと係合して、構造体２０２を円周方向の所定の位置に固定する。このように固定されると、フランジ２０４の下面が、弁構成部品の上部フランジ（図１４）上面の溝に嵌合された内側Ｏリング２３０と外側Ｏリング２３２（図１７）を押圧する。Ｏリングは、各々流入水路と流出水路を密封し、また、構造体は、流入スクープと排水スリーブの位置が合っているときに、開口２０８の一つが流出スクープの位置に合わされて、弁区画内に締着され、これにより各々流出水の流れとドレンの流れが促進される。
【００２７】
例示した実施例では、成形された流出水室蓋部材２５０（図１４）は、溶解室を画成する壁構造体８２（図５）を中央に形成することを含む複数の機能を果たす。その部材の中央管状部２５２は、壁構造体８２の下端の位置にあり、導管８０の上端を受承して、導管の溝に嵌合されたＯリングを介して導管に密封固定される。壁構造体８２は、管状部２５２の上端から半径方向外向きに延出する第一フランジ部２５４と、部位２５４の外側上端部から上向きかつ半径方向外向きに延出する第一円錐台形部２５６を含む。第二フランジ部２５８は、部位２５６の外側上端部から半径方向外向きに延出する。第二円錐台形部２６０は、部位２５８の外側端部から上向きかつ外向きに延出する。例示した部位２６０は、複数の隙間２６２を有しており、溶解室から流出水室へ溢流できるようになっている。部位２６０の上端の位置には、上部フランジ２６４（図１４と図１５）が、半径方向外向きに延出し、雌ねじが切られたカラー部２６６が、さらに上方に延出する。導管構造体２０２が基部に装着されると、流出水室蓋部材２５０が、下向きに配置して導管構造体の上に装着される。
【００２８】
一対のつめ２７０（図１４）が、上部フランジの周縁沿いの二位置から垂下するように例示されている。つめ２７０の突起は、流出水室の側壁の相補形凹み２７２と係合する。上部フランジ周縁の一つまたは複数の溝２７４は、流出水室の側壁の相補形垂直リブ２７６を受承して、部材２５０の円周方向位置を定める。上部フランジの上に滞留する水は、すべて、カラー２６６の下部と上部フランジ２６４の基部に隣接する開口２７８を通して排出される。雌ねじが切られたカラーは、貯蔵容器の役をする処理薬品容器に切られた相補形の雄ねじを受承する。
【００２９】
図１６は、例示としての容器７４をより詳細に示しており、容器は、（例えば、ＨＤＰＥを成形した）多孔カバー７０、（例えば、ＨＤＰＥを成形した）本体７２、および容器をフィーダーに装着する前に取り外される輸送／保管時用キャップつまり蓋２７１を含む。例示した蓋２７１は、容器をフィーダーに装着するときに用いられる本体７２の雄ねじと係合する。
【００３０】
例示した実施例では、フィーダー・カバー３００（図５）は、薬品の容器を格納しているフィーダーの基部の上部に固定されて、流出水室の上部空間を密封する。例示したカバーは、ポリカーボネートのようなプラスチック材から成形されており、淡彩を施すことが好ましいが、実質的には透明である方が有利である。例示したカバーは、半径方向外向きに延出するフランジ３０４に終端を有するほぼ放物線形のドーム３０２を含む。カバーと基部との間は、フィーダー基部の縁の環状溝に収容されたＯリング３０６によって密封される。フランジ３０４と基部との加圧係合を維持するために、固定部材３２０（図１７）が配置されている。例示した固定部材は、雌ねじが切られた第一固定リング部３２２とリング上の対向する二つの位置から上向きに延出するハンドル３２４を含む。例示した部材３２０は、ポリマー（例えばポリカーボネート）を一体成形したものである。リング３２２は、リングの下向きの内部段面がフランジの上面と係合した形態にして、フランジ３０４の上に装着できる寸法を有している。リング３２２は、Ｏリング３０６外側の基部の縁に切られた雄ねじ部に螺合されて、フランジ３０４をＯリングに向けて押圧する。ハンドル３２４は、装着されたときにドーム３０２の上にアーチ形を形成するようにその寸法が定められている。
【００３１】
例示した実施例を運転する場合にオンの状態にすると、フィーダー内の主流は、マニホルドの流入口からマニホルドの流出口へと、塩素添加部を通過することなく流れる。比較的少量の流入水が、流入スクープによって塩素添加部の方へと進路を変えらる（使用者は、弁構成部品を回動させることによって正確にその割合を調節することができる）。分水流は、弁構成部品と導管の内部を上向きに流れて、溶解室に入り、そこで生ずる水面の隆起によって薬品貯蔵容器の内部に入り込む。溶解室からの溢水は、溶解した処理薬品を含有しており、隙間２６２を通って流出水室の中に落下する。壁２６０の隙間２６２と隙間２６２の間の一体部は、波を反射し、反射波が入射波を打ち消すように作用するために有利であると信じられている。このために、水体５０４の中央隆起つまり波５０２は単一体となって、隆起に沿ったより安定した表面形状を形成することができる。
【００３２】
分水流は、流出水室から弁構成部品と流出スクープを通って、マニホルドから流出する主流に再合流する。容器内の薬品が溶解して空間ができると、残った薬品が落下する。容器本体は密閉されているために、処理薬品の層の落下によって生じた空間は、流出水室の上部空間から流入する空気で充満される。この状態が発生すると、その程度に応じて、流出水室の水位が次第に上昇する。上部空間を密封して大部分の空気を貯留するカバー３００は、流出水室の水位が高くなり過ぎることを防止する。流出水室の水位は、容器の薬品より十分下方に維持しておく方が有利であり、導管８０に沿う中間点程度の高さである方が好ましい。上部空間は、運転中には高い圧力、例えば、０〜５５ｋＰａ（ゲージ圧）（０〜８ｐｓｉｇ）、典型的には２１〜２８ｋＰａ（ゲージ圧）（３〜４ｐｓｉｇ）、に維持される。本体とカバーは、いかなる運転圧力にも安全に対する余裕を持って耐えることができる十分な堅牢性を有する。この場合、上部空間の圧力が６９ｋＰａ（ゲージ圧）（１０ｐｓｉｇ）に達しても耐えることができるようにしておく方が有利である。
【００３３】
フィーダーは、例えば、容器を取り替えるとき、または、単に水流に薬品を加えたくないときにはオフの状態に置かれる。オフの状態にするとき、使用者は、弁構成部品を単にオフの位置に回動させればよい。この位置では、流入口９０に流入する全水量が、塩素添加部を通過することなく流出口９２へ向けて送られる。この状態のとき、流出水室からは弁構成部品を貫通してドレン・パン１９０へと排水される。カバーの固定部材３２０はねじ戻すことによって取り外され、次にカバー３００が取り外される。ここで、容器７４をねじ戻して交換することができる。カバー３００、および固定部材３２０が元の位置に取り付けられると、必要に応じてフィーダーをオンの状態に復帰させることができる。
【００３４】
この装置に対して小さい変更がなされた形態では、フィーダー内のほぼ全流量がオンの状態のときに塩素添加部に向けて送られる。この形態は、フィーダーを循環装置の主要流路の中に配置する代わりに、循環装置を流れる全流量のうち分水された少量だけがフィーダー内を流れるように配置した場合に特に採用される。
【実施例２】
【００３５】
図１８は、代替としてのフィーダー基部３６０の詳細を示しており、それは、大部分が基部８６に類似している。基部８６同様に、基部３６０も弁構成部品を含む。この弁構成部品は、下部フランジ３６２の構成が構成部品１３０のそれとは異なる。この下部フランジは、第一ポートとしての役を果たす一群の孔を含む。図１８は、第一孔３６４から複数の中間部孔３６６を経て最終孔３６８までほぼ円周方向に一列に配置された孔を示す。この弁構成部品を一連のオンの向きにすると、これらの一つの孔から全ての孔まで順次、その下方にあるフィーダー基部の流入口の位置に合わされる。例示した実施例では、第一孔３６４は１．４ｍｍ（０．０５５ｉｎ．）の直径を有し、他の孔３６６は０．８ｍｍ（０．０３３ｉｎ．）の直径を有しており、各々の孔は、弁構成部品の軸を中心にして５°の間隔が空けられている。第一孔３６４は、約０．６リットル／ｍｉｎ（０．１５ｇｐｍ）の基本流量となるように寸法が定められている。他の孔３６６は、この流量を付加的に増量する。オプションとして、最終孔３６８を比較的大径にすることにより最後の増量分を大きくし、衝撃処理モードのときにとりわけ大きい流量になるようにしてもよい。
【００３６】
図１９と図２０は、下部フランジ３６２を含む弁構成部品３７０を示す。下部フランジは、下向きのキー係合用突起３７２（図１９）を有し、それは、溝３７４（図１１）に嵌合して構成部品の回動範囲を制限する。
【００３７】
構成部品３７０と構成部品１３０の第二の違いは、導管組立構造体３７６（図２１）と図１３の構造体２０２との間の差異に関連している。具体的には、構成部品３７０の上部フランジ３８０は、（例えば、ＰＴＦＥとグラファイトからなるＶＩＴＯＮフッ素系エラストマー（ｆｌｕｏｒｏｅｌａｓｔｏｍｅｒ）（デラウェア州ウィルミントン、デュポン・ダウ・エラストマーズ社）で成形された）内側Ｏリング３８４と外側Ｏリング３８６（図１７）に押圧される上部平坦面３８２を有する。これらのＯリングは、上部が矩形で下部が半円形に類似した断面を有するように形成され、矩形部分が、構造体３７６のフランジ部３８８の下面に設けられた下向きに開いた溝に挟持されている。また、例示した構造体３７６のノズルは、別体としてではなく一体的に組み込まれている。
【実施例３】
【００３８】
図２２は、プール４１４から取水して戻す循環装置４１２に装着されたフィーダー４１０を示す。プールから取水して戻される主流は、最初に上層水濾過箱４１６を通り、ヘア・リント濾過器４１８を経てポンプ４２０に入り、そこから戻り管４２２でプールに戻る。分水器（ｄｉｖｅｒｔｅｒ）４２４は、戻り管４２２に装着されており、フィーダー４１０（図２２）に送って戻すための各々第一管路４３０と第二管路４３２を有する。第一管路と第二管路は、フィーダー基部（図２３）の下面に装着された第一取付け部品４４０と第二取付け部品４４２（図２３）に接続されて、フィーダー３４のマニホルドとスクープを代替する。
【００３９】
図２４は、分水器４２４を示す。分水器は、上流側の流入端から下流側の流出端まで延在する概ね円筒形の一体成形本体４５０を有する。成形された流入端キャップ４５２と流出端キャップ４５４は、段差を有する管状構造体であり、小径部と大径部が、各々小径と大径の可撓性ホース（例えば、３２ｍｍと３８ｍｍの内径）（１．２５ｉｎ．と１．５ｉｎ．の内径）と接続されて、プールへの戻り管４２２を形成する。第一上流側ポート取付け部品４５６と第二下流側ポート取付け部品４５８が、本体の胴部分から突出して、各々管路４３０，４３２と接続される。例示した取付け部品４５６は、本体の制水部４６０に隣接して配置される。傾斜面４６２が、例示した制水部４６０（図２６では流入端キャップが取り外されている）に内向きに延在して形成されており、本体横断面積のかなりの部分を遮蔽する。取付け部品４５６の管状延長部４６４は、本体内部に延出して傾斜面４６２と交わるとともに、上流側を向く開口４６６を有している。水が分水器内を流れるときに、一部は、開口４６６を強制的に通るように仕向けられ、フィーダーへの流入水としての役を果たす。フィーダーからの流出水は、ポート４５８を通って戻る。例示した分水器４２４の適用例は、プールへの戻り管の流量が、約７６〜１８９リットル／ｍｉｎ（２０〜５０ｇｐｍ）という比較的小さい場合である。このように比較的小流量の場合には、比較的強い制水効果を与えて、分水器の流入口と流出口との間に適切な圧力差を発生させ、それによって、フィーダー内に適切な水流を生じさせることが好ましい。例えば傾斜面４６２は、分水器の断面積の半分を僅かに超える面積を遮蔽する。
【００４０】
図２５と図２７は、傾斜面が断面積の半分より僅かに小さい面積を遮蔽する代替としての分水器を示す。これは、フィーダー内に同様の水流を生じさせるが、戻り管内により大きい流量（例えば、１７０〜３７９リットル／ｍｉｎ（４５〜１００ｇｐｍ））を発生させる場合に好適である。これは、比較的大きいプール（典型的には地下式）の場合であり、戻り管には可撓性ホースではなく硬質導管が用いられる。従って、この代替としての分水器にはホースの取付け部品が設けられていない。
【００４１】
例示を目的とするために、フィーダーの多くの主要構造部が、あたかも厚い壁の製品であるかのように断面図に示されている。しかし、市販品は、射出成形のような技術によって薄壁の製品として成形されることが好ましい。また、図に、図面を起こすために用いられる特にＣＡＤの手法や種々の技術的簡素化のような他の技術を反映させることもできるが、当業者にとっては、どれも開示した技術に影響を与えるものではない。
【００４２】
本技術の一つまたはそれ以上の実施例について説明した。しかし、本発明の精神と範囲から逸脱することなく種々の変更を行うことができることは了解できるであろう。例えば、概要を説明した基本的な機能に関する原理を、種々のマニホルドに対して物理的に実施することができる。種々の製造上の配慮によって、製造されたフィーダーの形状は、影響を受けるであろう。スイミング・プール以外の適用（例えば、工業上の適用）としては、種々の薬品（例えば、ペーハー度の制御に有用な硫酸水素ナトリウム）を添加する場合にも用いられる。従って、別の実施例も以下の特許請求の範囲に入る。ここに引用した全ての特許申請、特許、および他の出版物の全記載内容を本明細書の記載として援用する。
【符号の説明】
【００４３】
２０  プール
２２  水体
２４  循環装置
２６  プール流出管
２８  プール戻り管
３０  ポンプ
３２  濾過装置
３４  フィーダー／塩素添加装置
３５  上部塩素添加部
３６  流入口
３７  流量制御部開口
３８  流出口
３９  制御ノブ
４０  薬品
４２  貯蔵容器
４４  多孔下部
４６  壁構造体
４８  水体
５０  導管
５２  流出口／ノズル
５４  水
５６  局部隆起／中央定在波
５８  周縁部
６０  溢水
６２  第二水体
６４  壁構造体
６６  排水口
６８  排水流
７０  多孔カバー
７２  本体
７４  貯蔵容器
７６  薬品
７８  フラット・ファン・ノズル
８０  導管
８２  壁構造体
８４  流出水室
８６  下部本体／基部
９０  第一端部
９２  第二端部
９４  マニホルド
９５  弁構造体
９６  中央開口
９８  管状壁
１００  外側壁
１０２  上向き開放領域
１０４  上向き開放領域
１０６  装着用ブラケット
１０７  装着用リブ
１０８  弁構成部品区画
１１０  ウェブ
１１２  開口
１１６  流入スクープ
１１８  流出スクープ
１３０  弁構成部品
１３２  上部フランジ
１３４  下部フランジ
１３６  側壁
１３８  第一ポート
１４０  第二ポート
１４２  第一ポート
１４４  第二ポート
１５０  下部流入口
１５２  スリーブ部
１５４  ガスケット
１５８  排水口／排水ポート
１６０  スリーブ
１７０  駆動軸
１７２  上部装着フランジ
１７３  杭状突起
１７５  相補形受口
１８０  レバー／制御アーム
１９０  ドレン・パン
２００  管状部／筒
２０２  一体成形構造体
２０４  フランジ
２０６  構造補強リブ
２０８  開口
２１２  外壁部
２１４  縁
２１６  つめ部
２１８  溝
２２０  ねじ部
２２４  突起
２２６  ぎざぎざ
２３０  内側Ｏリング
２３２  外側Ｏリング
２５０  流出水室蓋部材
２５２  中央管状部
２５４  第一フランジ部
２５６  第一円錐台形部
２５８  第二フランジ部
２６０  第二円錐台形部
２６２  隙間
２６４  上部フランジ
２６６  カラー部
２７０  つめ
２７１  キャップ／蓋
２７２  凹み
２７４  溝
２７６  垂直リブ
２７８  開口
３００  フィーダー・カバー
３０２  ドーム
３０４  フランジ
３０６  Ｏリング
３２０  固定部材
３２２  第一固定リング部
３２４  ハンドル
３６０  フィーダー基部
３６２  下部フランジ
３６４  第一孔
３６６  中間部孔
３６８  最終孔
３７０  弁構成部品
３７２  キー係合用突起
３７４  溝
３７６  導管組立構造体
３８０  上部フランジ
３８２  上部平坦面
３８４  内側Ｏリング
３８６  外側Ｏリング
３８８  フランジ部
４１０  フィーダー
４１２  循環装置
４１４  プール
４１６  上層水濾過箱
４１８  ヘア・リント濾過器
４２０  ポンプ
４２２  戻り管
４２４  分水器
４３０  第一管路
４３２  第二管路
４４０  第一取付け部品
４４２  第二取付け部品
４５０  一体成形本体
４５２  流入端キャップ
４５４  流出端キャップ
４５６  第一上流側ポート取付け部品
４５８  第二下流側ポート取付け部品
４６０  制水部
４６２  傾斜面
４６４  延長部
４６６  開口
５００  中央垂直軸
５０２  中央隆起
５０４  水体
５０６  流出水
５０８  溢水
５１０  第二水体／流出水体
５２０  流入水
５２２  流出水
５２４  分水流
５２６  分水流
５２８  迂回流
【図１】
2010195490.tif 000003
【図２】
2010195490.tif 000004
【図３】
2010195490.tif 000005
【図４】
2010195490.tif 000006
【図５】
2010195490.tif 000007
【図６】
2010195490.tif 000008
【図７】
2010195490.tif 000009
【図８】
2010195490.tif 000010
【図９】
2010195490.tif 000011
【図１０】
2010195490.tif 000012
【図１１】
2010195490.tif 000013
【図１２】
2010195490.tif 000014
【図１３】
2010195490.tif 000015
【図１４】
2010195490.tif 000016
【図１５】
2010195490.tif 000017
【図１６】
2010195490.tif 000018
【図１７】
2010195490.tif 000019
【図１８】
2010195490.tif 000020
【図１９】
2010195490.tif 000021
【図２０】
2010195490.tif 000022
【図２１】
2010195490.tif 000023
【図２２】
2010195490.tif 000024
【図２３】
2010195490.tif 000025
【図２４】
2010195490.tif 000026
【図２５】
2010195490.tif 000027
【図２６】
2010195490.tif 000028
【図２７】
2010195490.tif 000029